(57)【要約】本発明は、バッグ（１）における注入口のシール用装置に関するものであって；シール用装置は、バッグ（１）開口用のステーション（４）の少なくとも一つと、該注入口を開かれたバッグ（１）の中へ挿入用のステーション（４）と、該バッグ（１）と該注入口とをシール用のステーション（５，６，７）の少なくとも一つと、を具備する。  本発明の目的は、前述の装置を改善することにあって、従って、装置は、簡単な構造でありかつプロセス速度の速いものである。この目的のために、バッグプロセスステーション（２−８）が、バッグ用の直線的移動装置に配列されていて、直線的移動装置は二つの移動ベルト（９，１０）を形成していて、バッグプロセスステーション（２−８）は、すべて等間隔でグリッド状に配列されている。
2005516851.tif 000002
【特許請求の範囲】
【請求項１】
バッグ（１）における注入口のシール用装置であって；バッグ（１）開口用のステーション（４）の少なくとも一つと、該注入口を、開かれたバッグ（１）の中へ挿入用のステーション（４）と、該バッグ（１）と該注入口とをシール用のステーション（５，６，７）の少なくとも一つと、を具備するシール用装置において；
バッグプロセス用の該ステーション（２−８）が、該バッグ（１）用の直線的移動装置（１１）に配列されていて、該直線的移動装置（１１）は二つの移動ベルト（９，１０）により形成されていることと；
バッグプロセス用の該ステーション（２−８）がすべて等間隔のグリッド状に配列されていることと；
を特徴とするシール用装置。
【請求項２】
該移動ベルト（９，１０）が歯付きベルトであることを特徴とする、請求項１に記載のシール装置。
【請求項３】
該移動ベルト（９，１０）を周期的に駆動するために、ステップモータが備えられていることを特徴とする、請求項１又は２に記載のシール装置。
【発明の詳細な説明】
【技術分野】
【０００１】
本発明はバッグにおける注入口のシール用装置であって；シール用装置は、バッグ開口用のステーションの少なくとも一つと、注入口を、開かれたバッグの中へ挿入用のステーションと、バッグと注入口とをシール用のステーションの少なくとも一つと、を具備している。
【背景技術】
【０００２】
バッグは、流出可能な又は自由に流れるすなわち注入可能な商品を包装するために使用される。一般に、そのようなバッグは、多層のプラスチック複合材料を備えている。そのようなバッグは、特にバットエンドバッグ（butt-ended bag）としての使用が増加している。というのは、バッグのフレキシブルな外表面により、充填したバッグの運搬時及び空になったバッグの廃棄時に著しい利点をもたらしているからである。
【０００３】
そのようなバッグにおける注入口のシールは、種々の実施態様において技術的に公知なものである。基本的には注入口をシールするために、バッグは、最初切断され、続いて注入口を、バッグにおける開口部に挿入することが可能なように開口される。その後、バッグ開口部に配置された注入口は、シールジョーによりバッグにしっかりとシールされる。概して、従来技術における、バッグにおける注入口のシール用装置は、周期的に運転され、装置におけるバッグは回路において移動されている。回路におけるそのような移動は、通常の方法であって、概してバッグはグリッパにより保持されていて、そのグリッパは、バッグを取り上げ処理した後で、取り上げた位置へもどされねばならない。
【発明の開示】
【発明が解決しようとする課題】
【０００４】
前述の従来技術を出発点にして、本発明の目的は、バッグにおける注入口のシール用装置を提供することであって、その装置を用いることにより、適切な設備費用で、注入口を高速でバッグにシールすることのできるものである。
【課題を解決するための手段】
【０００５】
本発明において前述の目的は；
バッグプロセス用の該ステーション（２−８）が、該バッグ（１）用の直線的移動装置（１１）に配列されていて、該直線的移動装置（１１）は二つの移動ベルト（９，１０）により形成されていることと；
バッグプロセス用の該ステーション（２−８）がすべて等間隔のグリッド状に配列されていることと；
により達成されている。
注入口シール用装置の本発明による構造は、バッグプロセス用ステーション間におけるバッグの移動が、適切な機械設備費用で高速の移動速度及びサイクル速度が達成されている。
【０００６】
本発明による装置の第一実施態様において、移動ベルトは歯付きベルトである。移動ベルトとして歯付きベルトを使用することは、高速の移動速度及びサイクル速度においてさえも正確な位置決めを保証している。というのは、駆動装置と移動ベルトとの間におけるスリップ発生の可能性がないからである。
【０００７】
同時に歯付きベルトは、バッグプロセス用ステーションに対するバッグのすぐれた位置決め精度を保証している。
【０００８】
移動ベルトの周期的駆動のためにステップモータを備えることは、ステップモータの構造原理からして、すぐれた位置決め精度を保証すると共に、移動ベルトのすぐれた加速性を達成している。
【０００９】
本発明によるバッグにおける注入口シール用装置を設計し改善するために多数の選択がある。この関係において出願者は、例えば請求項１の従属項だけでなく、添付図面を用いて好適な実施態様をも説明する。
【発明を実施するための最良の形態】
【００１０】
本発明による、バッグ１における注入口のシール用装置の図１に示す実施態様において、装置は、切断用ステーション２と、高温空気をバッグの穴の中に最初に吹き込むことにより開口するためのステーション３と、図１には示されていない注入口を開口し挿入するためのステーション４と、三つのシール用ステーション５，６，７と、バッグ１と注入口
（図示されていない）との間のシール継手を冷却するためのステーション８とを備えている。
【００１１】
本発明において、バッグプロセス用の前述のステーション２−８は、バッグ１用の直線的移動装置１１に配列されていて、直線的移動装置１１は二つの移動ベルト９，１０により形成されており、バッグプロセス用ステーション２−８は、すべて隣接するステーションから等距離に配列されていて、直線的移動装置１１におけるバッグの周期的移動中に、直線的移動装置１１が停止する場合にバッグがプロセス位置にあることを保証するようになっている。当然のことながら、もしそれぞれのプロセスステップ例えばバッグの切断ステップが必要とされないなら、プロセス用ステーションが等間隔のグリッドに配列されている限り、直線的移動装置における一つあるいは複数のステーションを、運転しないことあるいは完全にないものにすることが想像される。
【００１２】
図２は、駆動ローラ１２に係合している一方の移動ベルト９を示していて、前記駆動ローラは、シャフト１３を介してステップモータ（図示されていない）により駆動されている。好ましくは他方の移動ベルト１０が、ギア装置（図示されていない）を用いて、同一のステップモータにより回転方向と逆に同一速度で駆動されている。
【００１３】
移動ベルト９の歯１４と、駆動ローラ１２の歯１５とは、どのようなスリップもなく駆動ローラ１２により駆動することができる。
【００１４】
図３は、実施態様の平面図を示していて、バッグ１が下段移動ベルト１０と上段移動ベルト９との間にどのように保持されているかを示している。
【図面の簡単な説明】
【００１５】
【図１】本発明による、バッグの注入口をシールするための装置の側面図である。
【図２】本発明による装置の運搬ベルトの駆動部の拡大図である。
【図３】本発明による装置の平面図である。
【図１】
2005516851.tif 000003
【図２】
2005516851.tif 000004
【図３】
2005516851.tif 000005
【国際調査報告】
2005516851.tif 000006
2005516851.tif 000007
2005516851.tif 000008
2005516851.tif 000009
2005516851.tif 000010